(57)【特許請求の範囲】
【請求項１】
動作させるために空気が必要なデバイス（６）が内部に配置されるハウジングを形成しているケース（２）を有する携行可能な物（１）であって、
当該携行可能な物は、さらに、少なくとも１つの透過性の要素を有する囲いデバイス（１２）を有し、
前記囲いデバイスは、前記ハウジングの内部雰囲気が前記囲いデバイスの外の外部雰囲気と通じることができつつ液体に対して不透過性であるように構成しており、
前記ケース（２）には、貫通した開口（３４、１３４）が形成されている凹部（３２、３２’、１３２、１３２’）が設けられており、
前記凹部は、前記囲いデバイスによって閉じられ、
前記囲いデバイスは、透過性のモジュール（３６、１３６）を有し、
気体環境では、前記透過性のモジュールが、気体が前記透過性のモジュールを通り抜けて前記ケースの前記開口に進入することが可能になる安静位置にあり、液体環境では、前記透過性のモジュールが、気体と液体が遮蔽される動作位置にあるように、前記透過性のモジュールが動くようにマウントされており、
前記透過性のモジュール（３６、１３６）は、管状支持体（３８、１３８）を有し、その端に膜（４０、１４０）が固定されており、
前記支持体は、可撓性ガスケット（４２、１４２）によって懸架された形態でマウントされ、
前記動作させるために空気が必要なデバイスは、高度計である
ことを特徴とする携行可能な物。
【請求項２】
前記膜は、透過性であるように選択される
ことを特徴とする請求項１に記載の携行可能な物。
【請求項３】
前記囲いデバイスは、当該携行可能な物の外側壁に配置される
ことを特徴とする請求項１又は２に記載の携行可能な物。
【請求項４】
前記囲いデバイスは、当該携行可能な物の内壁に配置される
ことを特徴とする請求項１〜３のいずれかに記載の携行可能な物。
【請求項５】
前記囲いデバイスによって、当該携行可能な物が少なくとも１００ｍの深さまで非浸水性である
ことを特徴とする請求項１〜４のいずれかに記載の携行可能な物。
【発明の詳細な説明】
【技術分野】
【０００１】
本発明は、動作させるために空気を必要とするデバイスが内部に配置されているハウジングを形成しているケースを有する携行可能な物に関する。
【背景技術】
【０００２】
防水性であって水が存在する環境で用いることができると考えられている、腕時計、移動体電話デバイス又はタッチタブレットのような携行可能な物が知られている。このために、携行可能な物に、多くのガスケットが設けられていたり、気体と液体の両方に対する完全な不透過性を確実にする手法が用いられていたりする。測時技術では、ガスケットは、一般的には、２つの可動部品の間を密封するように用いられる。例えば、巻きボタンと巻きステムの間、又はケースの裏とケース中間部のような２つの固定された部品の間を密封するように用いられる。
【０００３】
したがって、潜水のためには、ガスケットはヘリウムを通してはならない。なぜなら、酸素分子より小さい分子がガスケットを通り抜けるからである。ダイバーが上昇するときには、腕時計に入っていたヘリウムがガス抜きされる。過剰な圧力が発生するからである。ヘリウム解放デバイスがなければ、一般的には、腕時計の風防を損傷してしまう。内圧に耐えられるように構成していないからである。
【０００４】
しかし、この仮想的には完全な非透過性が問題となる用途がある。実際に、高度計タイプの用途の場合や亜鉛空気電源が用いられる場合においては、携行可能な物のハウジングと、携行可能な物の外側との間で、空気が流れるようになっていなければならない。このハウジング内に、高度計デバイス及び／又は亜鉛空気電源が配置される。
【０００５】
このような課題がある状況で、デバイスの不透過性を維持することが必要である。
【０００６】
また、Ｇｏｒｅ−Ｔｅｘ（登録商標）材料で作られた膜を用いることも知られている。この材料は、多孔性であることが知られている。すなわち、液体を阻止しつつ気体を通すことができる小径の多数の穴があることが知られている。
【０００７】
しかし、この材料には短所がある。実際に、Ｇｏｒｅ−Ｔｅｘ（登録商標）タイプの材料で作られた膜は、１５〜４０ｍの限られた深さまでしか防水にならない。この深さを超えると、圧力の下で水泡は縮み、水が穴を通り抜けるようになって、材料が浸水性になってしまう。
【発明の概要】
【発明が解決しようとする課題】
【０００８】
このような状況で、本発明は、液体を阻止しつつ気体を通し１００ｍを超える深度で用いることができる半透過性のデバイスを有する携行可能な物を提供することによって、従来技術の課題を解決することを目的とする。
【課題を解決するための手段】
【０００９】
このために、本発明は、動作させるために空気が必要なデバイスが内部に配置されるハウジングを形成しているケースを有する携行可能な物に関し、当該携行可能な物は、さらに、少なくとも１つの透過性の要素を有する囲いデバイスを有し、前記囲いデバイスは、前記ハウジングの内部雰囲気が外部雰囲気と通じることができつつ液体に対して不透過性であるように構成しており、前記ケースは、互いに取り付けられている第１の一部分及び第２の一部分によって構成しており、前記囲いデバイスは、さらに、半透過性材料で作られたガスケットを有する。
【００１０】
好ましい実施形態において、前記ガスケットは、シリコーンで作られている。
【００１１】
本発明は、さらに、動作させるために空気が必要なデバイスが内部に配置されるハウジングを形成しているケースを有する携行可能な物に関し、当該携行可能な物は、さらに、少なくとも１つの透過性の要素を有する囲いデバイスを有し、前記囲いデバイスは、前記ハウジングの内部雰囲気が外部雰囲気と通じることができつつ液体に対して不透過性であるように構成しており、前記ケースには、貫通した開口が設けられており、前記囲いデバイスは、前記開口に対向して位置する半透膜を有し、この半透膜は、気体を通すが液体を通さないフィルムが固定される多孔質の支持層を有し、このフィルムの厚みによって、当該携行可能な物の内側と外側の間の気体の平衡の時定数が変わる。
【００１２】
好ましい実施形態において、前記フィルムは、高分子材料である。
【００１３】
別の好ましい実施形態において、前記ケースの内壁に、内部に囲いデバイスが配置される凹部が設けられており、前記凹部は、溝が設けられた外側壁を有し、前記溝は、前記外側壁に沿って延びており前記膜の保持のために用いられ、前記膜は、カバーによって形成されている保持手段によって内壁に押されるように保持されており、前記囲いデバイスは、さらに、前記カバーと前記膜の間に挿入されるガスケットを有する。
【００１４】
本発明は、最後に、動作させるために空気が必要なデバイスが内部に配置されるハウジングを形成しているケースを有する携行可能な物に関し、当該携行可能な物は、さらに、少なくとも１つの透過性の要素を有する囲いデバイスを有し、前記囲いデバイスは、前記ハウジングの内部雰囲気が外部雰囲気と通じることができつつ液体に対して不透過性であるように構成しており、前記ケースには、貫通した開口が形成されている凹部が設けられており、前記凹部は、前記囲いデバイスによって閉じられ、前記囲いデバイスは、透過性のモジュールを有し、気体環境では、前記透過性のモジュールが、気体が前記透過性のモジュールを通り抜けてケースに進入することが可能になる安静位置にあり、液体環境では、前記透過性のモジュールが、気体と液体が遮蔽される動作位置にあるように、前記透過性のモジュールが動くようにマウントされている。
【００１５】
第１の好ましい実施形態において、前記透過性のモジュールは、管状支持体を有し、その端に膜が固定されており、前記支持体は、可撓性ガスケットによって懸架された形態でマウントされている。
【００１６】
第２の好ましい実施形態において、前記膜は、透過性であるように選択される。
【００１７】
第３の好ましい実施形態において、前記囲いデバイスは、当該携行可能な物の外側壁に配置される。
【００１８】
第４の好ましい実施形態において、前記囲いデバイスは、当該携行可能な物の内壁に配置される。
【００１９】
第５の好ましい実施形態において、前記動作させるために空気が必要なデバイスは、亜鉛空気電池である。
【００２０】
第６の好ましい実施形態において、前記動作させるために空気が必要なデバイスは、高度計である。
【００２１】
第７の好ましい実施形態において、前記囲いデバイスによって、当該携行可能な物が少なくとも１００ｍの深さまで非浸水性である。
【００２２】
添付図面に示される本発明の少なくとも１つの実施形態についての下記の詳細な説明において、本発明に係るデバイスの目的、利点及び特徴が、より明白になるであろう。これらの実施形態は、もっぱら例として与えられるものであって、これに制限されるものではない。
【図面の簡単な説明】
【００２３】
【図１】本発明に係る携行可能な物の第１の実施形態の第１の変種の概略図である。
【図２】本発明に係る携行可能な物の第１の実施形態の第２の変種の概略図である。
【図３】図３は、本発明に係る携行可能な物の第１の実施形態の第３の変種の概略図である。
【図３ｂ】図３ｂは、本発明に係る携行可能な物の第１の実施形態の第３の変種の概略図である。
【図３ｃ】図３ｃは、本発明に係る携行可能な物の第１の実施形態の第３の変種の概略図である。
【図４】本発明に係る携行可能な物の第２の実施形態の第１の変種の概略図である。
【図５】図５は、本発明に係る携行可能な物の第２の実施形態の第２の変種の概略図である。
【図５ｂ】図５ｂは、本発明に係る携行可能な物の第２の実施形態の第２の変種の概略図である。
【図５ｃ】図５ｃは、本発明に係る携行可能な物の第２の実施形態の第２の変種の概略図である。
【発明を実施するための形態】
【００２４】
図１〜５に、本発明に係る携行可能な物１を示している。この携行可能な物１は、計時器、移動体電話、スマートフォン又はタッチタブレットの形態であることができる。
【００２５】
携行可能な物１は、ハウジングを形成しているケース２を有する。このハウジングの内部には、動作させるために空気を必要とするデバイス４が設けられている。
【００２６】
図１〜３に示す第１の実施形態において、動作させるために空気を必要とするデバイス４は、電池６である。この電池は、例えば、亜鉛空気タイプの電池、すなわち、電池を形成している金属を空気中の酸素を用いて酸化して電気を供給する電池である。このような亜鉛空気電池には、空気を供給しなければならない。さもなければ、電池が非活性になって性能を落としてしまう。
【００２７】
このような電池を表示手段１０に関連づけられた電子システム８を動作させるために用いる。電子システム８は、さらに、制御手段及び／又は通信手段を有することができる。
【００２８】
好ましいことに、本発明によると、携行可能な物には、さらに、この携行可能な物が液体を通さないことを確実にしつつ電池に空気が供給されることを可能にする囲いデバイス１２が設けられている。このような非浸水性によって、携行可能な物を１００ｍよりも深く沈めることが可能になる。
【００２９】
図１に示す第１の変種では、携行可能な物のケース２は、第１の部分２ａと第２の部分２ｂを少なくとも有する。例えば、裏蓋２ｂによってケース中間部２ａが閉じられる。デジタルスクリーンや表盤／風防アセンブリーのような表示手段１０によって、第３の部分を形成することができる。そして、囲いデバイス１２には、第１の部分２ａと第２の部分２ｂの間に配置されるガスケット１４が設けられる。
【００３０】
このガスケット１４は、半透過性材料、すなわち、気体を通すが液体を遮蔽する材料、で作られるように選択される。この材料は、高分子材料であることができる。実際に、「溶解−拡散」のプロセスによって高密度の高分子フィルムを気体が通り抜ける。膜の上流面（過剰圧力になっている）及び下流面（圧力が減少している）の間に気体圧力勾配（駆動力）があるようにすることによって、以下の３つの順次的な現象が発生する。
＊  上流面における気体の吸収
＊  材料内への気体の分子的な溶解及び拡散
＊  下流面からの気体の脱離
【００３１】
この種の用途に用いられる材料の１つは、シリコーンである。周囲温度では、シリコーンは、天然ゴムよりも平均１０倍大きい通気性があるが、１００〜１５０℃近くではより近くなる。
【００３２】
したがって、この構成は、第１の部分２ａと第２の部分２ｂの間の小さな間隙に、半透過性材料で作られたガスケット１４を関連づける。これによって、携行可能な物の外側から内側に少量の空気を通すことが可能になる。この場合、携行可能な物の内側と外側の間で気体を平衡させるのに必要な時定数は、数日のオーダーである。したがって、この変種は、電気をほとんど使用せず、したがって、空気をほとんど必要とせずに、携行可能な物１を動作させることができる。この携行可能な物１は、例えば、時間のみを表示する３つの針を備えた腕時計である。これは数μＡしか用いない。
【００３３】
図２に示す第２の変種において、携行可能な物のケース２は、開口１６が設けられるように構成している。これによって、多くの空気が通り抜けることが可能になる。この開口１６は、例えば、直径が５ｍｍであり、ケースの裏側に設けられる。このような場合、囲いデバイス１２は、ケースの内部に配置される高密度膜１８を有する。このために、ケースの内壁には、開口がある箇所に、高密度膜１８のための凹部２０が設けられる。この凹部には、側壁２２がある。この側壁には、側壁に沿って延在する溝２４が設けられている。この溝は、高密度膜の保持のために用いられる。高密度膜は、ガスケット２８及びカバー３０によって構成している保持手段２６によって保持される。カバー３０は、ガスケット２８がカバー３０と高密度膜１８の間に挿入されるように、ケース内側壁に取り付けられる。
【００３４】
高密度膜１８は、「支持される膜」又は「複合膜」とも呼ばれ、すべてのプラスチックと同様に、水を１００％保持するが気体に対して透過性である高分子材料で作られているフィルム１８ａによって構成されている。
【００３５】
したがって、フィルム１８ａを使用するためには、フィルム１８ａを支持体１８ｂ上に載せなければならない。この支持体１８ｂも膜であるが、はるかに厚い。この支持膜１８ｂは、空気が通り抜けるように多孔性である。支持膜１８ｂの唯一の機能は機械的なものである。なぜなら、その唯一の目的は、高分子フィルム１８ａの支持体としてはたらくことであるからである。例えば、Ｇｏｒｅ−Ｔｅｘ（登録商標）で作られた支持膜を用いることができる。結果的に、Ｇｏｒｅ−Ｔｅｘ（登録商標）膜の課題が克服される。なぜなら、非常に深くてもフィルム１８ａが液体に対する不透過性を確実にするからである。
【００３６】
高密度膜１８を通り抜ける気流を規制するために、はたらきかけるパラメーターは、フィルム１８ａの厚みである。フィルム１８ａが薄いほど、流れが大きくなるが、フィルム１８ａは脆弱になり、フィルム１８ａが厚いと逆になる。
【００３７】
典型的には、携行可能な物の内側と外側の間の気体の平衡のための時定数を１分のオーダーとするには、フィルム１８ａの厚みが１０μｍのオーダーでなければならない。
【００３８】
この特徴によって、約５０ｍＡの比較的大きな電気エネルギーを消費する電子システムを有する携行可能な物において高密度膜１８を用いることが可能になる。この電力消費は、例えば、デジタルセンサー、スクリーン又はＢｌｕｅｔｏｏｔｈ（登録商標）タイプの通信手段の使用によって発生するものである。
【００３９】
図３に示す第３の変種では、携行可能な物のケース２は、その外側壁に凹部３２が設けられている。この凹部３２内に、囲いデバイス１２が配置されている。凹部３２に開口３４が設けられている。囲いデバイス１２は、可動なようにマウントされている透過性のモジュール３６の形態である。
【００４０】
実際に、囲いデバイス１２、すなわち、透過性のモジュール３６は、開いた管状材の形態である支持体３８を有する。この支持体３８の端に膜４０が取り付けられている。支持体３８は、可撓性ガスケット４２によって懸架された形態でマウントされる。管状支持体３８が環状である場合には、可撓性ガスケット４２も環状である。可撓性ガスケット４２の内側縁４２ａは、管状材３８に取り付けられており、外側縁４２ｂは、凹部３２の側壁３２ａに取り付けられている。
【００４１】
管状支持体３８の一方の端を閉じる膜４０は、凹部に対向する側の管状支持体３８の端に位置しており、透過性材料で作られている。用いられる材料の１つは、気体を通すが１バールの圧力までの液体を保持する特徴を有するＧｏｒｅ−Ｔｅｘ（登録商標）である。
【００４２】
囲いデバイス１２は、以下のように動作する。携行可能な物が開放空気中にある場合、空気が透過性の膜４０を通り抜けてケース２の開口３４を透過する。これによって、電池６が電気エネルギーを供給することができる。このとき、透過性のモジュール３６は、可撓性ガスケット４２に対して外部応力が与えられない第１の位置、すなわち、安静位置にある。
【００４３】
携行可能な物１が沈められると、水が圧力を与え、したがって、管状支持体３８の膜４０に機械的な力を与える。この膜４０に対する機械的な力によって、可撓性ガスケット４２が変形する。この可撓性ガスケット４２の変形によって、透過性のモジュール３６の運動、したがって、管状支持体３８の運動が可能になる。これによって、管状支持体３８が動いて、凹部の底部と接触する。すなわち、第２の位置、すなわち、動作位置になる。このような場合、膜４０は、底部３２ｂと接触する。この透過性の膜４０と、凹部３２の底部３２ｂ、すなわち、ケース、との間の接触によって、１０バールの高圧の下でさえも通路が閉じられる。
【００４４】
このような囲いデバイスの利点は、携行可能な物の内側と外側の間の気体の平衡の時定数を１秒のオーダーとすることができるということである。すなわち、携行可能な物の不透過性を確実にしつつ空気の流れを大きくすることができる。
【００４５】
この第３の実施形態の第１の変種において、凹部の底部３２ｂには、平形ガスケットと呼ばれる第２のガスケット４４が設けられる。平形ガスケット４４は、水の進入の阻止を改善するために用いられる。実際に、この平形ガスケット４４は、高分子材料やゴムのようなプラスチックタイプの材料で作られている。平形ガスケット４４の機能は、膜の穴を完全に遮蔽することである。
【００４６】
この第３の実施形態の第２の変種において、膜に加えて、シリカゲルのような吸収体が用いられる。この吸収体は、腕時計における相対的な湿度変化に対する対応の重要性を減少させるために用いられる。吸収体の量は、腕時計の湿度の透過性が伝統的なガスケットのものと同等であるように、腕時計の体積に応じて決めることができる。
【００４７】
この第３の実施形態の第３の変種において、囲いデバイス１２は目に見えないように構成している。このために、図３ｂに示す凹部３２は、キャップ３９によって閉じられ、このキャップには、少なくとも１つの孔３９ｂによって穴を開けられており、これによって、水が進入して透過性のモジュール３６に作用することが可能になる。この変種によって、好ましいことに、発生しうるあらゆる衝撃から囲いデバイス１２を保護することができる。キャップの不透過性を確実にするために、ガスケット４２を用いる。
【００４８】
もちろん、凹部３２をケース２の内壁に設けることができる。このようにして、図３ｃに示すように、ケース２には、その内壁に凹部３２’が設けられ、この凹部３２’には側壁３２ａ’があり、この側壁３２ａ’には可動にマウントされた透過性のモジュール３６が配置されている。穴２ａは、空気又は液体が透過性のモジュール３６に接することが可能になるように構成している。
【００４９】
実際に、囲いデバイス１２、すなわち、透過性のモジュール３６は、開いた管状材の形態である支持体３８を有する。この支持体３８の端に、膜４０が取り付けられている。支持体３８は、可撓性ガスケット４２によって懸架された形態となるようにマウントされる。可撓性ガスケット４２の内側縁４２ａは、管状材３８に取り付けられており、外側縁４２ｂは、凹部３２’の外側壁３２ａ’に取り付けられている。
【００５０】
そして、凹部３２’は、ケース２の内面にマウントされたキャップ３９’によって閉じられ、このキャップ３９’によって以下のような膜４０との連係が可能になる。すなわち、携行可能な物１が沈められた場合、水が圧力を与えて、膜４０に機械的な力を与える。これによって、可撓性ガスケット４２が変形する。この可撓性ガスケット４２の変形によって、透過性のモジュール３６が動いて、凹部の底部としてはたらくキャップと接触することが可能になる。
【００５１】
キャップ３９’は、キャップ３９’に直接設けられるねじ山によって、又はねじとガスケット３９ａ’によって、固定することができる。
【００５２】
図４及び５に示す第２の好ましい実施形態において、動作のために空気を必要とするデバイス４は、高度計７である。高度計７は、機械式であっても電子式であってもよく、変形可能な膜７ａを有する。
【００５３】
機械式高度計の場合には、高度計７は、伝達機構７ｂを有する。膜７ａは、この場合に伝達デバイス７ｂに作用する外圧の影響の下で、機械的に変形することができる。このように、伝達機構７ｂは、圧力を反映する膜７ａに起因する変形の運動を、高度値を表示する表示手段１０へと転換する。
【００５４】
電子式高度計（図示せず）の場合には、電子式高度計は、伝達回路７ｃを有する。膜７ａは、この場合に伝達回路７ｃに作用する外圧の影響の下で機械的に変形することができる。伝達回路７ｃは、膜の変形を電気信号に変換することを可能にするインタフェースである。この電気信号は、この信号を表示手段１０が高度の情報を表示するために用いることができるように処理される。
【００５５】
好ましいことに、本発明によると、携行可能な物１には、さらに、囲いデバイス１２が設けられている。これによって、空気が携行可能な物のハウジングを通り抜けて、水が透過することがなく高度計の膜７ａと相互作用することが可能になる。
【００５６】
図４に示す第１の変種では、携行可能な物のケース２は、開口１１６が設けられるように構成している。これによって、大量の空気が通り抜けることが可能になる。例えば、５ｍｍの直径であり、ケースの裏に設けられる。このような場合、囲いデバイス１２は、ケース２の内部に配置される高密度膜１８を有する。このために、このケースの内壁の開口に、高密度膜１１８のための凹部１２０が設けられている。この凹部１２０には外側壁１２２がある。外側壁１２２には、外側壁１２２に沿って延在する溝１２４が設けられている。溝１２４は、高密度膜１１８の保持のために用いられる。高密度膜１１８は、ガスケット１２８及びカバー１３０によって構成している保持手段１２６によって保持される。カバー１３０は、ガスケット１２８がカバー１３０と高密度膜１１８の間に挿入されるように、ケース内側壁に取り付けられている。
【００５７】
高密度膜１１８は、「支持される膜」や「複合膜」とも呼ばれており、すべてのプラスチックと同様に、気体を通すが１００％防水性の高分子材料で作られている。
【００５８】
したがって、フィルム１１８ａを使用するために、このような材料を支持体１１８ｂ上に載せなければならない。これも膜であるが、はるかに厚い。この支持膜１１８ｂは、空気が通り抜けるような多孔性である。支持膜１１８ｂの唯一の機能は機械的である。なぜなら、支持膜１１８ｂの唯一の目的がポリマーフィルム１１８ａの支持体としてはたらくことであるからである。例えば、Ｇｏｒｅ−Ｔｅｘ（登録商標）で作られた支持膜１１８ｂを使用することができる。
【００５９】
高密度膜１１８を通り抜ける気流を規制するために、作用するパラメーターは、フィルム１１８ａの厚みである。フィルム１１８ａが薄いほど、流れが大きくなるがフィルム１１８ａが脆弱になり、フィルム１１８ａが厚いほど、逆になる。
【００６０】
典型的には、携行可能な物の内側と外側の間の気体の平衡のための時定数を１分のオーダーにするには、フィルムの厚み１１８ａは、１０μｍのオーダーでなければならない。
【００６１】
この特徴によって、高密度膜１１８を高度計に用いることが可能になる。平衡までの時間が比較的短いからである。平衡までの時間が短いことによって、ユーザーが必要な高度値を迅速に得ることが可能になる。
【００６２】
図５に示す第２の変種において、携行可能な物のケース２の外側壁には、凹部１３２が設けられており、その凹部１３２の内部に囲いデバイス１２が配置されている。この凹部１３２には開口が設けられている。
【００６３】
実際に、囲いデバイス１２、すなわち、透過性のモジュール１３６は、開いた管状材の形態である支持体１３８を有し、その端には、膜１４０が取り付けられている。支持体１３８は、可撓性ガスケット１４２によって懸架された形態にてマウントされる。環状な管状支持体１３８の場合には、可撓性ガスケット１４２も環状である。可撓性ガスケット１４２の内側縁１４２ａは、管状材１３８に取り付けられており、外側縁１４２ｂは、凹部１３２の外側壁１３２ａに取り付けられている。
【００６４】
管状支持体３８の一方の端を閉じている膜１４０は、管状支持体の凹部に対向している方の端に位置し、透過性材料で作られている。材料の１つとして、気体が通り抜け液体を１バールの圧力まで保持する特徴を有するＧｏｒｅ−Ｔｅｘ（登録商標）がある。
【００６５】
囲いデバイス１２は、以下のように動作する。携行可能な物が、開放された空気中にある場合、透過性の膜１４０を空気が通り抜けて、ケース２の開口３４に進入する。これによって、膜７ａによって高度を測定することができる。このとき、透過性のモジュール１３６は、可撓性ガスケット１４２に外部応力が与えられていない第１の位置、すなわち、安静位置にある。
【００６６】
携行可能な物１が沈められた場合、水が圧力を与え、したがって、管状支持体１３８の膜１４０に機械的な力を与える。この膜１４０に対する機械的な力によって、可撓性ガスケット１４２が変形する。可撓性ガスケット１４２の変形によって、透過性のモジュール１３６の運動が可能になり、したがって、管状支持体３８の運動が可能になる。これによって、管状支持体３８が動き、凹部の底部と接触する。つまり、第２の位置、すなわち、動作位置になる。このような場合、膜１４０は、底部１３２ｂと接触する。このような透過性の膜１４０と、凹部１３２の底部１３２ｂ、すなわち、ケースとの接触によって、１０バールの高圧の下でさえも通路が閉じる。
【００６７】
このような囲いデバイスの利点は、携行可能な物の内側と外側の間の気体の平衡の時定数を１秒のオーダーにすることができるということである。すなわち、携行可能な物の不透過性を確実にしつつ空気を大量に流す。結果的に、高度測定を迅速に行うことができる。これによって、高度を正確に測定するためにユーザーは長く待つ必要がなくなる。
【００６８】
この第２の実施形態の第１の変種において、凹部１３２の底部１３２ａには、平形ガスケットと呼ばれる第２のガスケット１４４が設けられる。平形ガスケット１４４は、水の進入の阻止を改善するために用いられる。実際に、この平形ガスケット１４４は、高分子材料やゴムのようなプラスチックタイプの材料で作られている。平形ガスケット１４４の機能は、膜の穴を完全に遮蔽することである。
【００６９】
この第２の実施形態の第２の変種において、膜に加えて、シリカゲルのような吸収体を用いる。吸収体は、腕時計における相対的な湿度変化の重要性を減少させるために用いられる。吸収体の量は、腕時計の湿度の透過性が伝統的なガスケットで得られるものと同等になるように、腕時計の体積に応じて決めることができる。
【００７０】
この第２の実施形態の第３の変種において、囲いデバイス１２は、目に見えないように構成している。このために、図５ｂに示す凹部１３２’は、キャップ１３９によって閉じられ、このキャップは、少なくとも１つの孔１３９ｂによって穴を開けられている。これによって、水が透過して、透過性のモジュール１３６に作用することが可能になる。この変種によって、好ましいことに、発生しうるあらゆる衝撃からも囲いデバイス１２を保護することができる。キャップの不透過性を確実にするために、ガスケット１３９ｂを用いる。
【００７１】
もちろん、ケース２の内壁に凹部を設けることができる。このようにして、ケース２の内壁には、外側壁１３２ａ’がある凹部１３２’が設けられている。図５ｃに示すように、外側壁１３２ａ’には、可動にマウントされている透過性のモジュール１３６が配置されている。透過性のモジュール１３６が空気又は液体に接触することができるように、穴２ａが設けられている。
【００７２】
実際に、囲いデバイス１２、すなわち、透過性のモジュール１３６は、開いた管状材の形態である支持体１３８を有し、その端には膜１４０が取り付けられている。支持体１３８は、可撓性ガスケット１４２によって懸架された形態にてマウントされる。可撓性ガスケット１４２の内側縁１４２ａは、管状材１３８に取り付けられており、外側縁１４２ｂは、凹部１３２’の外側壁１３２ａ’に取り付けられている。
【００７３】
そして、凹部１３２’は、ケース２の内面にマウントされるキャップ１３９’によって閉じられ、このキャップは、以下のような膜１４０との連係を可能にする。すなわち、携行可能な物１が沈められた場合に、水が圧力を与えて、膜１４０に機械的な力を与える。これによって、可撓性ガスケット１４２が変形する。この可撓性ガスケット１４２の変形によって、透過性のモジュール１３６が動いて、凹部の底部としてはたらくキャップと接触することが可能になる。
【００７４】
キャップ１３９’は、キャップ１３９’に直接設けられるねじ山によって、又はねじとガスケット１３９ａ’によって、固定することができる。
【００７５】
本明細書において説明した本発明の様々な実施形態に対して、当業者にとって明らかな様々な変更及び／又は改善を本発明の範囲から逸脱せずに行うことができることは明らかである。
【図１】
0006505134.tif 000002
【図２】
0006505134.tif 000003
【図３】
0006505134.tif 000004
【図３ｂ】
0006505134.tif 000005
【図３ｃ】
0006505134.tif 000006
【図４】
0006505134.tif 000007
【図５】
0006505134.tif 000008
【図５ｂ】
0006505134.tif 000009
【図５ｃ】
0006505134.tif 000010